(57)【特許請求の範囲】
【請求項１】
排水路１４を有する大引１２を基礎５に取付け、大引１２の上面に下地板１９を取付け、下地板１９の上面には、流路２５を有する根太２３を横方向に間隔を置いて並列して取付け、根太２３と大引１２の交接部には、根太２３の流路２５と大引１２の排水路１４とを連通する通路２６を設け、各根太２３の側方間には、防水部２９で覆われた補助層３０を敷設し、防水部２９の上面に飛散した水は、根太２３の通水部２４から根太流路２５を通って大引排水路１４等から排出されるように形成し、かつ、防水部２９の上面には、床部３１を、着脱自在に装着した床構造。
【請求項２】
前記大引１２は、基礎５の一部として形成されている請求項１記載の床構造。
【請求項３】
前記床部３１は、畳状の床材である請求項１または２に記載の床構造。
【請求項４】
前記通水部２４は、根太２３の上方に設けられた目皿である請求項１〜３のいずれかに記載の床構造。
【発明の詳細な説明】
【０００１】
【発明の属する技術分野】
本発明は、排水機能を有する床構造に関する。
【０００２】
【従来の技術】
水を使用して清掃を行なう床構造として、本件出願人が出願した特許第２５３９７０９号の特許公報に記載された発明がある。
【０００３】
この特許第２５３９７０９号の特許公報に記載された床構造は、床パネルの両縁の間に目地材を挟置して床部を構成し、床パネルの両縁をそれぞれ支持するフランジ部を両側の開放側端縁に有する溝型材からなる根太材を複数並置している。また、前記根太材を直角に支持する複数の大引き材を設け、この大引き材と根太材との交接部において、大引き材、根太材にそれぞれ設けられた通水孔が一致するように固定されている。そして、前記目地材、根太材、根太材の通水孔、大引き材と流下する床部に流された洗浄水を排水管に導入する排水装置を設けてある。
【０００４】
【発明が解決しようとする課題】
ところで、一般の住宅における住人の生活状態について考察すると、従来畳敷などの座敷で生活していた高齢者らが寝たきりに近い状態になったり、下肢が不自由になったときなどに、高齢者らが快適に生活できる所は、今まで使っていたような気に入った座敷である。
【０００５】
しかし、一般の住宅用建造物では、排水設備を必要とするスペース（例えば、風呂場、トイレ）は、住宅建造時に施工された箇所に限られてしまう。
そこで、本発明は、高齢者らの使用していた座敷等の居住スペースを、座敷等として快適に使用できるとともに、簡単な構成で排水機能も有する床構造とすることを課題とする。
【０００６】
【課題を解決するための手段】
第１の発明は、排水路１４を有する大引１２を基礎５に取付け、大引１２の上面に下地板１９を取付け、下地板１９の上面には、流路２５を有する根太２３を横方向に間隔を置いて並列して取付け、根太２３と大引１２の交接部には、根太２３の流路２５と大引１２の排水路１４とを連通する通路２６を設け、各根太２３の側方間には、防水部２９で覆われた補助層３０を敷設し、防水部２９の上面に飛散した水は、根太２３の通水部２４から根太流路２５を通って大引排水路１４等から排出されるように形成し、かつ、防水部２９の上面には、床部３１を、着脱自在に装着して床構造とした。
【０００７】
第２の発明は、第１の発明において、前記大引１２は、基礎５の一部として形成した。
第３の発明は、第１の発明または第２の発明において、前記床部３１は、畳状の床材とした。
【０００８】
第４の発明は、第１の発明〜第３の発明のいずれかにおいて、前記通水部２４は、根太２３の上方に設けられた目皿とした。
【０００９】
【発明の実施の形態】
以下図に基づいて本発明の実施の形態の説明をする。図は本発明の床構造の一実施の形態の説明用の図である。
【００１０】
この実施の形態の床構造は、ステンレススチール製の角形の管で形成した大引１２を、コンクリート製の基礎５に、図示してない取付け金具で取付けて固定して設けてある。この大引１２は、基礎５の一部として、基礎の機能も果たすものである。
【００１１】
大引１２は、角形の管を中空の排水管１３として、大引排水路１４を形成するようにしているが、大引１２は角形の材木で形成し、大引排水路１４は、ステンレススチール製の管、または合成樹脂製のホース等を大引１２に沿って設置して大引排水路１４にすることも可能である。
【００１２】
前記大引１２の上面には、各大引１２の間の上面の略全面を覆う、木製または金属製の下地板１９が図示してない取付け具で取付けてある。
そして、木製とした下地板１９には、ゴムアスファルトシートを貼付してある。
また、下地板１９の上面には、上部が開口したＣ型鋼であるステンレススチール製の根太２３を、横方向に間隔を置いて並列して、図示してない取付具で取付けてある。この根太２３の内部は、水等を流す根太流路２５となっている。
【００１３】
前記根太２３が設置される下方には、束石６上に載置された調節支柱７が設けられており、根太２３にかかる荷重を分散して受けるようになっている。また、根太２３と大引１２の交接部には、根太２３の根太流路２５と大引１２の大引排水路１４を連通する通路２６が設けられている。なお、大引１２及び根太２３は、その他の鋼鉄製とすることができる。
【００１４】
前記根太２３の側方の間には、ステンレス板（防水部）２９で覆われた補助層３０が、隣接する根太２３より若干高く敷地されており、ステンレス板２９の上面に飛散した水は、根太２３の目皿２４から根太流路２５を通って、さらに通路２６から大引排水路１４等を経て、大引排水トラップ１５を介して外部に排水されるように形成してある。なお、ステンレス板２９には、合成樹脂製の防水シートを代用してもよい。
【００１５】
また、補助層３０は、固めの発砲スチロール等の断熱材で形成されており、補助層３０に外力が加えられてもあまり変形しないようにしてある。また、補助層３０の壁面と接する端部には、水切り板３６が設けられており、洗浄水等が壁面側に漏水せず、根太２３内に確実に導入されるようになっている。
【００１６】
そして、ステンレス板２９の上面には、畳状の床部３１が、着脱自在に装着してある。なお、図１における符号３２の部分は、畳状の床部３１を取り除いた部分を表すものである。
【００１７】
そして、前記の床構造は、住宅の建築時に排水構造等を組み込んで構築して置くか、高齢者らが寝たきりに近い状態になる以前に、床構造を改装して置くと、必要となったときに、直ちに利用することができて便利である。
【００１８】
以上のように本実施形態の床構造によれば、通常の居住スペースを、容易に排水設備を有する床構造に変更することができる。
また、本床構造は、住宅建造物の基礎自体に排水路を形成し、床部からの排水を、効率良くこの基礎部分の排水路に導くようにした。したがって、複雑な排水経路が必要なく、施行性も良好な床構造とすることができる。
【００１９】
【発明の効果】
本発明は、着脱自在の畳状の床部３１を、床構造の上面に装着すると、寝たきりに近い状態になった高齢者らは、従前の生活空間のまま、快適に生活できることとなる。
【００２０】
そして、高齢者らが座敷を洗浄可能な床として使用したい場合は、畳状の床部３１を座敷から除くだけで、風呂やシャワー、トイレ等を容易に設置できる床構造として利用することができる。
【図面の簡単な説明】
【図１】本発明の一実施の形態の説明用の平面図
【図２】本発明の一実施の形態の説明用の図１のＡ−Ａ線の断面図
【図３】本発明の一実施の形態の説明用の図１のＢ−Ｂ線の断面図
【図４】本発明の一実施の形態の説明用の図３のＣ部分の拡大図
【図５】本発明の一実施の形態の説明用の図３のＤ部分の拡大図
【図６】本発明の一実施の形態の説明用の一部破断し分解した斜視図
【符号の説明】
５  基礎
６  束石
７  調節支柱
１２  大引
１３  中空の排水管
１４  大引排水路
１５  大引排水トラップ
１６  排気管
１９  下地板
２３  根太
２４  目皿
２５  根太流路
２６  根太と大引を連通する通路
２９  ステンレス板（防水部）
３０  補助層
３１  畳状の床部
３２  畳状の床部を除いた部分
３６  水切り板
【図１】
0004459423.tif 000002
【図２】
0004459423.tif 000003
【図３】
0004459423.tif 000004
【図４】
0004459423.tif 000005
【図５】
0004459423.tif 000006
【図６】
0004459423.tif 000007